(57)【特許請求の範囲】
【請求項１】
遠赤外線セラミック練り込み布地を表地と裏地の両面に使用した前身頃部１０と後身頃部１１とからなる体形補整用ボディスーツ９であって、前記前身頃部１０は、肩部、バスト部、腹部及び股下部からなり、前記後身頃部１１は、肩部、背部、ヒップ部及び股下部からなり、前記肩部は、肩部表地１９ａと肩部裏地１９ｂが２枚重ねて縫製され、前記前身頃部１０のバスト部は、肩部の下方の脇下ネット部１４、アッパーバスト部刺繍地２９、アンダーバスト部２８、アンダーメッシュ部２４で構成され、前記アンダーバスト部２８は、半円球状のアンダーバスト部表地２７ａと柔らかい布地のアンダーバスト部裏地２７ｂとが２枚重ねされ、前記下部のアンダーメッシュ部２４及び前記脇下ネット部１４は、伸縮性のあるネット状の布地からなり、前記前身頃部１０の腹部は、中央の腹部表地１２ａと腹部裏地１２ｂ、前脇腹表地１３ａと前脇腹裏地１３ｂ、下方の股下部表地１７ａと股下部裏地１７ｂがそれぞれ２枚重ねされ、股下部表地１７ａの端部に係止具１８が設けられており、前記後身頃部１１の肩部と背部との間には、前記背面ネット地２２が形成され、前記後身頃部１１の表地は、背部からヒップ部にかけて、背面表地２０ａからなり、股下部には、クロッチメッシュ表地３４ａが用いられ、その端部に係止具１８が設けられ、前記背面表地２０ａのヒップ部には、モールド成型により膨らんだ臀部ネット地２１が形成され、前記後身頃部１１の裏地は、背面裏地２０ｂと後脇腹裏地３０とクロッチメッシュ裏地３４ｂとからなり、前記背面裏地２０ｂは、後脇腹裏地３０から腰部裏地３１にかけて中央まで伸び、この腰部裏地３１と背面裏地２０ｂとの間には背部切り欠き部３５が形成された一重部３７となっており、前記腰部裏地３１の下方には、前記臀部ネット地２１部分に相当する位置に臀部切り欠き部３２を形成したことを特徴とする体形補整用下着。
【請求項２】
後身頃部１１の表地は、背部からヒップ部にかけて、背骨位置で分離した左右の背面表地２０ａからなり、後身頃部１１の裏地は、背骨位置で分離した左右の背面裏地２０ｂと後脇腹裏地３０とからなり、これら左右の背面表地２０ａ、背面裏地２０ｂ、後脇腹裏地３０は、背骨の位置にゴム紐部３３が配置されて縫製されて、やや縮められた状態となっていることを特徴とする請求項１記載の体形補整用下着。
【請求項３】
前身頃部１０の腹部と後身頃部１１の背部とにおける腰部裏地３１に位置する腰周りに、前身頃部１０の腹部と後身頃部１１の背部とを上下から引き寄せて折り込んだ折り返し部２３を有することを特徴とする請求項１又は２記載の体形補整用下着。
【請求項４】
ショーツ６０と、ストッキング９０と、ガードル７０と、ブラジャー５０と、これらの上に着用する体形補整用ボディスーツ９とからなることを特徴とする請求項１、２又は３記載の体形補整用下着。
【発明の詳細な説明】
【０００１】
【発明の属する技術分野】
本発明は、健康と美を保つための特に女性用の体形補整用下着に関するものである。
【０００２】
【従来の技術】
人間の健康を考えるとき、姿勢の善し悪しによって内臓の働きが違ってくる。姿勢がよいということは、先ず第一に、背筋がまっすぐで、骨盤が正しい位置にあり、左右対称形であることである。
女性の場合、バストとヒップの位置がホルモンのバランスのために極めて大切である。
食事、運動、睡眠だけに気をつけても、姿勢を正しく整えなければ、内臓の働きがよくならない。また、現代人は、エネルギー不足で体が冷え、有害な電磁波の影響で自律神経を病んでいる。
この冷えの改善と電磁波を軽減する環境を作ってそれを継続することが重要である。
【０００３】
従来から知られている体型補整用の下着類を用いれば、背筋や背骨をある程度矯正することができるが、脊髄を温めて体のバランスを保つためには、不十分であった。
バスト、ヒップ、腹部、脚部などの体の各部においては、例えば、ブラジャー、ショーツ、ガードル、ストッキングを着用することによってそれぞれ対応する個所の補整をすることができるが、従来のこれらの下着にも種々の問題点があるだけでなく、問題点を解決した下着を着用した上で、さらにその上に体形補整用ボディスーツを着用して全体として補整することで、脊髄と骨盤の正しい位置と背筋を矯正して、体重を正しく支えることができるものである。
【０００４】
ちなみに、女性の理想的なプロポーションは、図１９に示すように、バストポイントが、頭の長さＢの２個分、ウエストポイントは、ちょうど肘の部分、ヒップポイントは、身長Ａの２分の１の高さといわれている。また、重心線に対してバストポイントの前の３角とヒップポイントの後ろの３角のバランスが取れていれば、やせた人も太った人も正しいバランスといわれている。
【０００５】
【発明が解決しようとする課題】
体の各部に着用する下着である従来のブラジャー、ショーツ、ガードル、ストッキングには、以下のような問題があった。
従来のブラジャー５０は、図１２（ａ）（ｂ）に示すように、カップ５１を保持するための背面帯部５４が水平となるようないわゆる平面裁断となっていて、真横にブラジャー５０を締め付けることとなっていた。
そのため、胃を締め付けることになって苦痛を与えたり、脇の下を締め付けることとなってリンパの流れを妨げたりし、また、バストを肩紐５６だけで支えるために肩こりの原因になっていた。さらに、バストを正しく包み込めないため、バストと脇の下との間に副乳５９という脂肪の塊ができたり、バストの形を崩したりする原因になっていた。
【０００６】
従来のショーツは、臍より下で穿くものが多かった。臍を包むものでもゴム紐の部分が細く食い込み易く、そけいリンパを圧迫するものがほとんどである。そのために体の血流を妨げてしまい、体を冷やす原因になっている。また、図１７に示すように、ヒップを包みきれないような小さなショーツ６０では、垂れヒップなどヒップの形を崩し、また、ゴム紐で腹に食い込むと、上や下に脂肪を逃がし、３段腹、寸胴、ピーマン形等、体のラインを崩してしまうことになる。
【０００７】
現代人は、エネルギー不足で体が冷え、有害な電磁波の影響で自律神経を病んでいる。この冷えの改善と電磁波を軽減する環境を作ってそれを継続することが重要である。
しかるに、従来の図９に示すようなショートガードル７０では、ヒップからウエストの周りを強く締め付けるものが多く、また、ハイウエストのものでも、ウエスト部分のきついものがほとんどであった。そのため、そけいリンパを圧迫し、かつ、ヒップの形を崩し、太ももに脂肪を逃がし、太ももを太くする。そけいリンパを圧迫すると、脚のリンパの流れや血流も悪くなり、体を冷やす原因になっている。
また、従来のストッキングは、お洒落で穿くか、脚をサポートして圧力を加えることで浮腫を改善するものであった。そのため、腹部、ヒップ、太もも、ひざ、足首などの人体の形状や部位によっては、着圧が大きかったり、小さかったりして、快適な着用感が得られなかった。
【０００８】
本発明の目的は、ブラジャー、ショーツ、ガードル、ストッキングなどで各部位の補正をするだけでなく、体形補整用ボディスーツによって正しい姿勢を維持し、かつ、体を温めて体の重心を正しいバランスで保つための体形補整用下着を提供することである。
【０００９】
【課題を解決するための手段】
本発明は、遠赤外線セラミック練り込み布地を表地と裏地の両面に使用した前身頃部１０と後身頃部１１とからなる体形補整用ボディスーツ９であって、前記前身頃部１０は、肩部、バスト部、腹部及び股下部からなり、前記後身頃部１１は、肩部、背部、ヒップ部及び股下部からなり、前記肩部は、肩部表地１９ａと肩部裏地１９ｂが２枚重ねて縫製され、前記前身頃部１０のバスト部は、肩部の下方の脇下ネット部１４、アッパーバスト部刺繍地２９、アンダーバスト部２８、アンダーメッシュ部２４で構成され、前記アンダーバスト部２８は、半円球状のアンダーバスト部表地２７ａと柔らかい布地のアンダーバスト部裏地２７ｂとが２枚重ねされ、前記下部のアンダーメッシュ部２４及び前記脇下ネット部１４は、伸縮性のあるネット状の布地からなり、前記前身頃部１０の腹部は、中央の腹部表地１２ａと腹部裏地１２ｂ、前脇腹表地１３ａと前脇腹裏地１３ｂ、下方の股下部表地１７ａと股下部裏地１７ｂがそれぞれ２枚重ねされ、股下部表地１７ａの端部に係止具１８が設けられており、前記後身頃部１１の肩部と背部との間には、前記背面ネット地２２が形成され、前記後身頃部１１の表地は、背部からヒップ部にかけて、背面表地２０ａからなり、股下部には、クロッチメッシュ表地３４ａが用いられ、その端部に係止具１８が設けられ、前記背面表地２０ａのヒップ部には、モールド成型により膨らんだ臀部ネット地２１が形成され、前記後身頃部１１の裏地は、背面裏地２０ｂと後脇腹裏地３０とクロッチメッシュ裏地３４ｂとからなり、前記背面裏地２０ｂは、後脇腹裏地３０から腰部裏地３１にかけて中央まで伸び、この腰部裏地３１と背面裏地２０ｂとの間には背部切り欠き部３５が形成された一重部３７となっており、前記腰部裏地３１の下方には、前記臀部ネット地２１部分に相当する位置に臀部切り欠き部３２を形成したことを特徴とする体形補整用下着である。
【００１０】
【実施例】
以下、本発明によるブラジャー５０、ショーツ６０、ガードル７０、ストッキング９０及び体形補整用ボディスーツ９の一実施例を図面に基づき説明する。
【００１１】
図１０及び図１１において、本発明によるブラジャー５０は、全体が遠赤外線セラミック練り込み糸からなる布地を使用しており、立体裁断とし、背面では、バストの斜め下であって、腰のやや上で止めるようにしていることを特徴とするものである。
さらに詳しくは、左右２つのカップ５１は、半円球状に形成された装飾編みのカップ部表地５１ａと柔らかい布地のカップ部裏地５１ｂとが２枚重ねされ、アンダーバスト部細幅テープ５８内には、半円状の金属線が入っている。このカップ５１の上部には、略３角形の装飾編みのカップ上面部５２が形成されて、バスト全体を正しく包み込むようになっている。このカップ上面部５２の上端には、長さ調整具５７付きの肩紐５６の一端が結合されている。
【００１２】
前記両カップ部表地５１ａの下部には、このカップ部表地５１ａと同じ幅程度のやや幅の広いカップ下面部５３が形成されている。このカップ下面部５３は、伸縮性の少ない装飾編みの布地からなり、この両カップ下面部５３の両端縁は、前記カップ５１の外側上端から下端にかけて幅が狭くなるように内側に傾斜し、かつ、下端線が両側に向かってそれぞれ斜め下方向に傾斜するように裁断されて形成されている。これらのカップ下面部５３の両側縁には、それぞれ伸縮性のある布地からなる背面帯部５４が連続するように連結されている。この背面帯部５４は、前記カップ下面部５３の下端線からさらにそれぞれ斜め下方にやや湾曲しながら傾斜するように、かつ、上端線についても下端線と同様にそれぞれ斜め下方に傾斜している。これらの両側の背面帯部５４の端部には、３列の係止爪５５ａと１列の係止鉤５５ｂからなる係止具５５がそれぞれ形成され、さらに、この背面帯部５４の上端線の途中に前記肩紐５６の他端が結合されている。
【００１３】
以上のように構成されたブラジャー５０は、両側の肩紐５６を長さ調整具５７で長さを調整して肩にかけ、両側のカップ５１によってバスト全体を包み込むようにして両側の背面帯部５４を背面に回し、係止具５５の係止爪５５ａと係止鉤５５ｂで係止する。
ここで、本発明によるブラジャー５０は、立体裁断とし、カップ下面部５３から背面帯部５４の背面側にかけて斜め下に、すなわち、アンダーバストから背中の腰のやや上にかけて斜め下方向に引っ張って止めるようにしている。このため、胃を圧迫することなく、また、バストの重みをカップ下面部５３で支え、肩紐５６にかかる負担を大幅に軽減している。また、バストの外周部分であって、脇腹、背中、胃に逃がしていた脂肪をカップ５１によって正しく包み込んでいる。
【００１４】
したがって、胃を締め付けることによる苦痛を与えることがなく、脇の下を締め付けないのでリンパの流れを妨げず、また、バストをカップ下面部５３でしっかりと支えるため肩紐５６による肩こりが生じることはなくなる。さらに、バストを正しく包み込むため、バストと脇の下との間の副乳ができたりせず、バストの形も崩すことがない。
【００１５】
つぎに、図１３乃至図１６において、本発明によるショーツ６０は、遠赤外線セラミック練り込み糸からなり、柔らかで伸縮性のある布地を使用しており、前面の前部布地６１、両脇から後面の臀部布地６２、２枚重ねの下面のクロッチネット地６４、胴回り用の伸縮帯布地６３、脚付け根用の伸縮広幅レース６５からなる。
前記臀部布地６２は、後面にヒップの丸みをつぶさないように逆ハート型に臀部モールド成型部６７を形成することが望ましい。また、臀部モールド成型部６７には、ヒップによりフィットする丸みをつけるために、モールド成型に加えて、又は、モールド成型に代えて、臀部布地６２の上面中央にＶ字の切り欠き６６を形成するようにしてもよい。前記伸縮帯布地６３は、ハイウエスト部を圧迫しないように、できるだけ幅の広い、例えば７０〜８０ｍｍ程度の幅の伸縮性のある目の粗い装飾布地が使用される。前記伸縮広幅レース６５も、脚付け根部のそけいリンパを圧迫しないように、例えば１０ｍｍ程度の幅の伸縮性のある目の粗い装飾布地が使用されるとともに、ハイレグに構成してある。
【００１６】
このように構成されたショーツ６０を穿くことにより、ヒップをつぶすことなく全体を包み込み、形よく保つことができる。また、ウエスト部分には、幅の広い、伸縮性のある伸縮帯布地６３が使用されることにより、そけいリンパを圧迫することにより体の血流を妨げてしまうようなことがなく、遠赤外線セラミック練り込み布地の使用と相俟って、体を温める効果が向上する。
【００１７】
つぎに、図５乃至図８において、本発明によるガードル７０は、遠赤外線セラミック練り込み糸からなる布地をすべての表地と裏地に使用している。
前記表地は、図７（ａ）に示すように、右側表地７１ａ、左側表地７１ｂ、中央飾り地７３、クロッチ用ネット地７４、右側太もも広幅レース７５ａ、左側太もも広幅レース７５ｂからなる。
前記右側表地７１ａは、伸縮性を持って織られた布地からなり、前面中央から折り返し線８２を経て後面中央まで覆うだけの幅を有し、また、上下方向は、上端が臍よりやや上まで覆うようなハイウエストで、下端が太ももの略中間位置まで覆う長さとなっている。この右側表地７１ａの前面側中央部に当たる部分には、中央飾り地７３の取り付け用の鉤型の切り欠きと、右側クロッチ取付け切り欠き７７ａが形成され、後面側中央部に当たる部分にも右側クロッチ取付け切り欠き７７ａが形成され、さらに、後面に縦半分のハート形の右側臀部モールド部７６ａがモールド形成されている。
前記左側表地７１ｂについても、右側表地７１ａと対称形をなしている。
なお、右側表地７１ａと左側表地７１ｂにおいて、両側の折り返し線８２で折り返すようにして、縫い代を作らないようにしているのは、縫い代を作ると、その縫い代でヒップに圧力がかかり、ヒップに縦筋が生じるからである。
【００１８】
前記中央飾り地７３は、伸縮性の少ない織り方をした布地をダイヤ型に裁断したものである。
前記右側太もも広幅レース７５ａと左側太もも広幅レース７５ｂは、図３（ａ）に２点鎖線で示すように、前記右側表地７１ａと左側表地７１ｂの下端部にそれぞれ重ねて縫製されるもので、伸縮性のある織り方をした飾りを兼ねたストレッチレース布からなる。
前記クロッチ用ネット地７４は、伸縮性のある織り方をしたネットなどの布地で、２枚重ねとなっている。
【００１９】
図７（ｂ）に示す裏地は、伸縮性のある織り方をした布地を使用した中央部裏地７８、右側臀部支え裏地７９ａ、左側臀部支え裏地７９ｂ、右側太もも裏地８１ａ及び左側太もも裏地８１ｂからなる。８３は、ゴム紐である。
前記右側臀部支え裏地７９ａには、内側の右側臀部用切り欠き８０ａが前記右側臀部モールド部７６ａの外周縁部に略一致したＣ型に裁断され、ヒップを外周から中心に向かって持ち上げて形を整える。また、前記右側表地７１ａの右側クロッチ取付け切り欠き７７ａと一致する右側クロッチ取付け切り欠き７７ａが切り欠かれてている。
前記左側臀部支え裏地７９ｂについても、右側臀部支え裏地７９ａと対称形をなしている。
【００２０】
前記右側太もも裏地８１ａは、内股に位置するようにしてリンパの流れと血流を促進し、経穴を温めるための２枚重ね部８５ａと、太ももの全周囲を圧迫せずに、しかも、しっかりと支えるための帯状部８６ａとからなり、前記２枚重ね部８５ａには、前記右側表地７１ａの右側クロッチ取付け切り欠き７７ａと一致する右側クロッチ取付け切り欠き７７ａが切り欠かれている。
【００２１】
以上のような表地と裏地が重ね合わせられて縫製される。
このとき、後面の臀部モールド部７６を２分する部分と上端部とに、それぞれゴム紐８３を一体に縫い付け、シャーリングによるダーツを作る。このため、臀部モールド部７６の部分では、図２に示すように、後面がやや下方へ引き下げられて、中間部にたるみが形成され、ヒップ部分の丸みがより強調される。また、上端部分では、表地７１と臀部支え裏地７９が共に伸縮性を有することと相俟って、ゴム紐８３をきつくならないように、即ち、ウエスト部分が食い込まない程度に緩めに縫製されている。
【００２２】
このようにして形成された股上の深いガードル７０を穿くことで、ウエスト部分に圧迫感を与えることなく、下腹部とウエスト部の贅肉をすっぽりと包み込み、また、ヒップの丸みもつぶさず、ヒップを外周から臀部モールド部７６に向かって持ち上げて形を整え、さらに、太ももの中間まで包み込んだロングガードルとなっていることで、太ももに脂肪が流れるのを阻止している。
ヒップを逆ハート型の臀部モールド部７６部分で補整しつつ体重を支えるために、背骨にかかる負担を軽減することができる。
また、表地７１に中央部裏地７８、臀部支え裏地７９、太もも裏地８１を張り合わせることにより一重部８４の部分が生じるが、これは、足の付け根部分の動きを妨げないようにしたものである。
【００２３】
また、臍のやや上から下腹部は、中央飾り地７３と中央部裏地７８が２枚重ねとなっているため、身体における腹部の中央線に沿って存在する重要な多数の経穴、例えば、中かん（ちゅうかん）（上腹部の中央で、へそとみぞおちの中間にあり、腹部の内臓・消化器全般の病気、食欲不振、ノイローゼ、不眠症等の治療に効果を発揮する）、水分（すいぶん）（へその上３〜４ｃｍのところにあり、大腸の水分バランスを整える働きを有し、下痢等の治療に効果を発揮する）、気海（きかい）（へそ下４〜５ｃｍのところにあり、精神症時の呼吸促迫、婦人病・泌尿器・消化器の急性の痛みの治療に効果を発揮する）などを温める効果がある。
【００２４】
つぎに、図１８において、本発明のストッキング９０は、ポリウレタンなどの１４０デニール（太さの単位で、１デニールは、長さ４５０ｍの重さが０．０５ｇあるもの）のサポート糸９７と遠赤外線セラミックを練り込んだセラミック練り込み糸９６とを１２本を撚って特殊編み込み（例えば、縦横方向に伸縮性の大きいパール編み）をしたもので、腹部９１は、腹部をスマートに引き締め、かつ、ヒップをソフトにサポートするように立体設計とし、太ももの付け根部分には、動きにフィットするようにマチ９２を設けている。また、太ももからひざ、足首にかけて人体の形状に合わせた着圧設計となるように、例えば、太もも部９３は、中圧（１０ミリハーゲ）、すね部９４は、中圧（１３ミリハーゲ）、足首部９５は、最強圧（２０ミリハーゲ）とし、快適な着用感が得られるようになっている。足先部分は、足型成型とし、つま先とかかとが補強されている。
【００２５】
このように形成されたストッキング９０を穿くと、保温しながら血流をよくするので浮腫を改善できる。足の裏は、第２の心臓といわれ、老化は、足から起こりやすくなるが、足の裏を温め、血流、リンパの流れをよくすることで、冷えを改善し、つま先からウエストまで全体をサポートできる。
なお、人体の形状に合わせた着圧設計とすることにより、着用前の外観では、生地の厚さや色むらがあるように見えることがあるが、着用後は、よく伸びて、色むらは消え、均一な厚さで足にフィットする。
【００２６】
つぎに、図１乃至図４において、本発明による体形補整用ボディスーツ９は、遠赤外線セラミック練り込み糸からなる布地を表地と裏地の両面に使用している。図示の例では、袖なしタイプを説明する。なお、半袖、長袖のタイプであってもよい。
【００２７】
体形補整用ボディスーツ９は、大きく分けて、図１に示す側から見た前身頃部１０と、図２に示す側から見た後身頃部１１とからなる。
前記前身頃部１０は、上方から順に、肩部、バスト部、腹部及び股下部からなり、図３（ａ）に示す表地と、図３（ｂ）に示す裏地とで構成されている。また、前記後身頃部１１は、上方から順に、肩部、背部、ヒップ部及び股下部からなり、図４（ａ）に示す表地と、図４（ｂ）に示す裏地とで構成されている。
【００２８】
前記肩部は、前身頃部１０と後身頃部１１における両側の肩部表地１９ａと、肩部裏地１９ｂとからなる。なお、肩部表地１９ａは、前身頃部１０と後身頃部１１が別々に裁断されているが、肩部裏地１９ｂは、前身頃部１０と後身頃部１１が連続した１枚の布地である。これら前身頃部１０と後身頃部１１の肩部表地１９ａと肩部裏地１９ｂは、襟開き部１５、背開き部１６、袖口部とに装飾レース３８を配置して２枚重ねて縫製されるが、このとき、肩の上に当たる部分を縫製しないで肩パッド用ポケット２６とし、肩パッド２５が装着される。
【００２９】
前記前身頃部１０のバスト部は、立体裁断とし、肩部の下方の脇下ネット部１４、アッパーバスト部刺繍地２９、アンダーバスト部２８、アンダーメッシュ部２４で構成されている。
さらに詳しくは、前記アンダーバスト部２８は、半円球状に装飾編みのアンダーバスト部表地２７ａと柔らかい布地のアンダーバスト部裏地２７ｂとが２枚重ねされ、このアンダーバスト部表地２７ａの上部には、略３角形の装飾編みのアッパーバスト部刺繍地２９が形成されて、ブラジャー５０をつけたときバスト全体を正しく包み込むようになっている。
前記両アンダーバスト部表地２７ａの下部のアンダーメッシュ部２４は、伸縮性のあるネット状の布地からなり、腹部側から下方へ引っ張ったときバストをつぶさないようになっている。前記脇下ネット部１４は、伸縮性のあるネット状の布地からなり、後述の背面ネット地２２と共に、腕の動きに支障のないように構成されている。
【００３０】
前記前身頃部１０の腹部は、中央の腹部表地１２ａと腹部裏地１２ｂ、両側の前脇腹表地１３ａと前脇腹裏地１３ｂ、下方の股下部表地１７ａと股下部裏地１７ｂがそれぞれ２枚重ねされ、股下部表地１７ａの端部に係止具１８が設けられている。なお、腹部表地１２ａと股下部表地１７ａは、上下で２分割されているが、腹部裏地１２ｂと股下部裏地１７ｂは、連続した布地からなる。これは、腹部表地１２ａが飾りを兼ねた布地であって、かつ、伸びの少ない布地からなり、その他の股下部表地１７ａ、腹部裏地１２ｂ、股下部裏地１７ｂ、前脇腹表地１３ａ、前脇腹裏地１３ｂが伸びのある布地から構成されていることによる。
これらの前身頃部１０の腹部における中央の腹部表地１２ａと腹部裏地１２ｂ、両側の前脇腹表地１３ａと前脇腹裏地１３ｂ、下方の股下部表地１７ａと股下部裏地１７ｂがそれぞれ２枚重ねされたとき、図３（ａ）おいて点線で示した脚の付け根部分より下側が一重部分となっていて、脚が円滑に動くようになっている。
【００３１】
前記後身頃部１１の肩部と背部との間には、前記背面ネット地２２が形成されている。
前記後身頃部１１の表地は、背部からヒップ部にかけて、左右２枚の背面表地２０ａからなり、股下部には、クロッチメッシュ表地３４ａが用いられ、その端部に係止具１８が設けられる。前記背面表地２０ａのヒップ部には、モールド成型により予めヒップを包み込むような逆ハート形に膨らんだ臀部ネット地２１が形成されている。
前記後身頃部１１の裏地は、背面裏地２０ｂと後脇腹裏地３０とクロッチメッシュ裏地３４ｂとからなる。このうち、背面裏地２０ｂは、背部の僧帽筋を温めるためのもので、また、後脇腹裏地３０から腰部裏地３１にかけての部分は、中央まで伸びているが、この腰部裏地３１と背面裏地２０ｂとの間には背部切り欠き部３５が形成されて一重部３７となっており、屈伸時により伸縮し易い個所となっている。さらに、前記腰部裏地３１の下方には、前記臀部ネット地２１部分が１重となることでより伸縮し易いように臀部切り欠き部３２が形成されている。
これら左右の背面表地２０ａ、背面裏地２０ｂ、後脇腹裏地３０は、背骨の位置にゴム紐部３３が配置されて縫製される。このため、前記一重部３７と臀部ネット地２１がこのゴム紐部３３によりやや縮められた状態となる。
【００３２】
このように構成された体形補整用ボディスーツ９を穿くときには、前記ショーツ６０、ストッキング９０、ガードル７０、ブラジャー５０を付け、さらにその上に体形補整用ボディスーツ９を重ねて着て、係止具１８で止める。
このとき、体形補整用ボディスーツ９の丈は、着用しようとする人の肩部から股下部までの長さより４〜５ｃｍ長いものが用いられる。このために弛みが生じるが、この弛みは、図１及び図２に示すように、下半分は、腰部裏地３１の部分まで引き上げるようにして股下部とヒップ部に密着させ、また、上半分は、腰部裏地３１の部分まで引き下げるようにして肩部とバスト部に密着させる。このようにして腰部裏地３１の部分に生じた弛みは、折り返し部２３にする。
この結果、引き上げによりヒップ部がつぶされることなく丸みをもったまま上方へ絞り上げられる。また、引き下げにより、バスト部がつぶされるのをアンダーメッシュ部２４で吸収する。さらに、折り返し部２３をもって着ることによる最も効果的な点は、座ったときに背部側が伸びても折り返し部２３によって吸収でき、また、腕の上げ下ろしをしても股下部に力がかからず、かつ、バスト部をつぶすようなことがないことである。
【００３３】
このように、ブラジャー５０で正しいバストの位置を整え、ショーツ６０、ガードル７０、ストッキング９０で正しいヒップの形を整え、ヒップの高さを維持し、さらにその上に体形補整用ボディスーツ９を着用することで、脊髄と骨盤の正しい位置と背筋を矯正し、人間の体重を正しく支えることができる。
折り返し部２３の部分で３重、４重に重ねることで、腹部を温めるため、内臓の働きを活発化させ、また、余分な脂肪を燃焼させることができる。
【００３４】
身体における上半身の前面には、腹部の中央線に沿って重要な多数の経穴が存在する。代表的なものとして、例えば、以下のようなものがある。
だん中（だんちゅう）：胸部の中央で、左右の乳頭の中間にあり、心臓・呼吸器・肋間神経、乳腺の痛み、食道けいれん等の治療に効果を発揮する。
中かん（ちゅうかん）：上腹部の中央で、へそとみぞおちの中間にあり、腹部の内臓・消化器全般の病気、食欲不振、ノイローゼ、不眠症等の治療に効果を発揮する。
水分（すいぶん）：へその上３〜４ｃｍのところにあり、大腸の水分バランスを整える働きを有し、下痢等の治療に効果を発揮する。
気海（きかい）：へそ下４〜５ｃｍのところにあり、精神症時の呼吸促迫、婦人病・泌尿器・消化器の急性の痛みの治療に効果を発揮する。
【００３５】
また、身体における上半身の背面には、背骨の両側に沿って重要な多数の経穴が存在する。代表的なものとして、例えば、以下のようなものがある。
風門（ふうもん）：第２胸椎の棘突起の直下から、左右に約３〜４ｃｍのところ（左右１箇所ずつ）にあり、鼻・のど・気管支・肺などの発熱性又は寒性疾患等の治療に効果を発揮する。
肩井（けんせい）：肩の上縁で、乳頭を通る垂直延長線と交わるところ（左右１箇所ずつ）にあり、肩こり、めまい、寝違い、呼吸器の病気等の治療に効果を発揮する。
肺兪（はいゆ）：第３・第４胸椎棘突起の真下から左右にそれぞれ約３〜４ｃｍのところにあり、肺に関する一切の疾患（肺・鼻・喉・気管・皮膚）の治療に効果を発揮する。
心兪（しんゆ）：第５・第６胸椎棘突起の直下から、左右に約３〜４ｃｍのところ（左右１箇所ずつ）にあり、精神症、高血圧等の治療に効果を発揮する。
膈兪（かくゆ）：第７・第８胸椎棘突起の直下から、左右に約３〜４ｃｍのところ（左右１箇所ずつ）にあり、気管支炎、ぜんそく、食欲不振、嚥下困難、ノイローゼ、ヒステリー、胃炎、神経性嘔吐等の治療に効果を発揮する。
肝兪（かんゆ）：第９・第１０胸椎棘突起の直下から、左右に約３〜４ｃｍ外方で、背中を走る太い筋肉の上（左右１箇所ずつ）にあり、肝臓・消化器・筋肉・目の病気、寒気、ふるえ、イライラ、ノイローゼ、不眠症、解毒等の治療に効果を発揮する。
脾兪（ひゆ）：第１１胸椎棘突起の直下から、左右に約３〜４ｃｍ外方で、背中を走る太い筋肉の上（左右１箇所ずつ）にあり、消化器全般、糖尿病、黄疸、健忘症、嗜眠、ノイローゼ等の治療に効果を発揮する。
胃兪（いゆ）：第１２胸椎棘突起の直下から、左右に約３〜４ｃｍ外方（左右１箇所ずつ）にあり、急性の胃の痛み、消化器一般に関する病気の治療に効果を発揮する。
腎兪（じんゆ）：第２腰椎棘突起の真下から３〜４ｃｍ外方（左右１箇所ずつ）にあり、生殖器・泌尿器・消化器・神経系の病気で生命力の衰えからくるものの治療に効果を発揮する。
【００３６】
ブラジャー５０、ショーツ６０、ガードル７０、ストッキング９０を着用した上に、体形補整用ボディスーツ９を重ねて着用し、さらに、折り返し部２３の部分で４重、５重に重ねられ、また、遠赤外線セラミック練り込み糸からなる布地を表地と裏地の両面に使用していることと相俟って、上述の多くの経穴は、確実に温められ、内臓の働きを活発化させ、また、余分な脂肪を燃焼させることができる。
【００３７】
【発明の効果】
請求項１記載の発明によれば、遠赤外線セラミック練り込み布地を表地と裏地の両面に使用し、前身頃部１０と後身頃部１１は、可能な限り表地と裏地の２枚重ねとし、バスト、ヒップなどの形を崩す恐れのあるところや、腕や脚の付け根などの屈曲するところは、一重とした体形補整用ボディスーツ９からなるので、正しい姿勢を維持しつつ、かつ、体を温めて体の重心を正しいバランスで保つことができる。
【００３８】
請求項２記載の発明によれば、後身頃部１１の表地は、背部からヒップ部にかけて、背骨位置で分離した左右の背面表地２０ａからなり、後身頃部１１の裏地は、背骨位置で分離した左右の背面裏地２０ｂと後脇腹裏地３０とからなり、これら左右の背面表地２０ａ、背面裏地２０ｂ、後脇腹裏地３０は、背骨の位置にゴム紐部３３が配置されて縫製されて、やや縮められた状態となっているので、常に背筋が伸び、脊髄と骨盤を正しい位置に維持し、かつ、バストとヒップをも正しい位置に保つことができる。
【００３９】
請求項３記載の発明によれば、前身頃部１０の腹部と後身頃部１１の背部とにおける腰部裏地３１に位置する腰周りに、前身頃部１０の腹部と後身頃部１１の背部とを上下から引き寄せて折り込んだ折り返し部２３を有するので、座ったときに背部側が伸びても折り返し部２３によって吸収でき、また、腕の上げ下ろしをしても股下部に力がかからず、かつ、バスト部をつぶすようなことがない。
【００４０】
請求項４記載の発明によれば、ショーツ６０と、ストッキング９０と、ガードル７０と、ブラジャー５０と、これらの上に着用する体形補整用ボディスーツ９とからなるので、ブラジャー５０で正しいバストの位置を整え、ショーツ６０、ガードル７０、ストッキング９０で正しいヒップの形を整え、ヒップの高さを維持し、さらにその上に体形補整用ボディスーツ９を着用することで、脊髄と骨盤の正しい位置と背筋を矯正し、人間の体重を正しく支えることができる。
【図面の簡単な説明】
【図１】本発明による体形補整用ボディスーツの一実施例を示すもので、（ａ）は、前身頃部から見た斜視図、（ｂ）は、肩パッドの斜視図、（ｃ）は、上下から引き寄せて折り込んだ折り返し部２３を有する状態の側面図である。
【図２】図１における後身頃部から見た斜視図である。
【図３】図１における前身頃部で、（ａ）は、表地の分解平面図、（ｂ）は、裏地の分解平面図である。
【図４】図１における後身頃部で、（ａ）は、表地の分解平面図、（ｂ）は、裏地の分解平面図である。
【図５】本発明によるガードルの一実施例を示す正面図である。
【図６】図５の背面図である。
【図７】図５のガードルで、（ａ）は、表地の分解平面図、（ｂ）は、裏地の分解平面図である。
【図８】（ａ）は、本発明によるガードルを着用した正面図、（ｂ）は、背面図である。
【図９】従来のショートガードルを着用した正面図である。
【図１０】（ａ）は、本発明によるブラジャーを着用した正面図、（ｂ）は、側面図である。
【図１１】図１０におけるブラジャーの平面図である。
【図１２】（ａ）は、従来のブラジャーを着用した正面図、（ｂ）は、側面図である。
【図１３】本発明によるショーツの正面図である。
【図１４】図１３の背面図である。
【図１５】図１２及び図１３のショーツの分解平面図である。
【図１６】本発明によるショーツを着用した背面図である。
【図１７】従来のショーツを着用した背面図である。
【図１８】（ａ）は、本発明によるストッキングを着用した斜視図、（ｂ）は、（ａ）における布地の拡大図である。
【図１９】日本の女性の理想的プロポーションの説明図である。
【符号の説明】
８…体形補整用下着、９…体形補整用ボディスーツ、１０…前身頃部、１１…後身頃部、１８…係止具、２３…折り返し部、２５…肩パッド２５、３０…後脇腹裏地、３１…腰部裏地、３２…臀部切り欠き部、３３…ゴム紐部、３６…一重部、３７…一重部、５０…ブラジャー、６０…ショーツ、７０…ガードル、９０…ストッキング。
【図１】
0003750999.tif 000002
【図２】
0003750999.tif 000003
【図３】
0003750999.tif 000004
【図４】
0003750999.tif 000005
【図５】
0003750999.tif 000006
【図６】
0003750999.tif 000007
【図７】
0003750999.tif 000008
【図８】
0003750999.tif 000009
【図９】
0003750999.tif 000010
【図１０】
0003750999.tif 000011
【図１１】
0003750999.tif 000012
【図１２】
0003750999.tif 000013
【図１３】
0003750999.tif 000014
【図１４】
0003750999.tif 000015
【図１５】
0003750999.tif 000016
【図１６】
0003750999.tif 000017
【図１７】
0003750999.tif 000018
【図１８】
0003750999.tif 000019
【図１９】
0003750999.tif 000020